(57)【要約】【課題】アノードデッドエンド型燃料電池において、発電に寄与しない不純物ガスの、アノード、あるいは、燃料ガス流路における局所的な滞留を抑制する。【解決手段】アノードデッドエンド型燃料電池１００は、膜電極接合体１０におけるアノード（アノード側触媒層４２ａ、アノード側拡散層１２０ａ）の表面側に設けられ、アノードに供給すべき水素を流すための燃料ガス流路を構成する流路構成部材（シート部材１２５、アノード側金属多孔体１３０ａ、アノード側セパレータ１４０ａ）を備える。シート部材１２５には、水素供給口１２５ｉが形成されている。また、アノード側金属多孔体１３０ａ内には、アノード側金属多孔体１３０ａ内に存在する流体を、少なくともアノードの表面にほぼ平行な方向に循環させるためのエゼクタ１５０が設けられている。【選択図】図２
2009026520.tif 000002
【特許請求の範囲】
【請求項１】
電解質膜の両面に、それぞれ、アノード、および、カソードを接合してなる発電体を備え、前記アノードに供給された燃料ガスのほぼすべてを、外部に排出することなく、内部に滞留させた状態で発電に利用する燃料電池であって、
前記発電体における前記アノードの表面側に設けられ、前記アノードに供給すべき燃料ガスを流すための燃料ガス流路を構成する流路構成部材を備え、
前記流路構成部材は、前記燃料ガス流路中を流れる燃料ガスを前記アノードに供給するための供給口を備えており、
前記アノード、および、前記流路構成部材の少なくとも一方は、前記アノード、および、前記燃料ガス流路の少なくとも一方の内部において、該内部に存在する流体を、少なくとも前記アノードの表面にほぼ平行な方向に循環させるための流体循環部を備える、
燃料電池。
【請求項２】
請求項１記載の燃料電池であって、
前記流体循環部として、流体素子を備える、
燃料電池。
【請求項３】
請求項２記載の燃料電池であって、
前記アノード、および、前記燃料ガス流路の少なくとも一方の内部には、前記流体中に含まれる発電に寄与しないガスである不純物ガスが滞留しやすい第１の領域と、該第１の領域よりも前記不純物ガスが滞留しにくい第２の領域とが存在しており、
前記流体素子は、前記第１の領域に配置されている、
燃料電池。
【請求項４】
請求項１記載の燃料電池であって、
前記流体循環部として、前記供給口から供給された燃料ガスの流れを利用して、前記流体の流れを制御するための整流板を備える、
燃料電池。
【請求項５】
請求項１ないし４のいずれかに記載の燃料電池であって、
前記流路構成部材は、
前記発電体における前記アノードの表面側に積層され、導電性、および、ガス不透過性を有するシート状のシート部材と、
前記シート部材の表面側に積層され、導電性、および、ガス拡散性を有し、前記燃料ガス流路となる多孔質部材と、
前記多孔質部材の表面側に積層され、前記発電体で発電された電力を集電する集電部材と、によって構成されており、
前記供給口は、前記シート部材の面内に形成されている、
燃料電池。
【請求項６】
請求項１ないし４のいずれかに記載の燃料電池であって、
前記流路構成部材は、少なくとも前記発電体を挟持し、前記発電体で発電された電力を集電する集電部材であり、
前記燃料ガス流路は、前記集電部材の内部に形成されており、
前記供給口は、前記集電部材の前記アノードと対向する側の面に形成されている、
燃料電池。
【請求項７】
請求項６記載の燃料電池であって、
前記アノードと前記集電部材との間には、導電性、および、ガス拡散性を有する多孔質部材が介装されている、
燃料電池。
【発明の詳細な説明】
【技術分野】
【０００１】
本発明は、燃料電池に関するものである。
【背景技術】
【０００２】
燃料ガス（例えば、水素）と酸化剤ガス（例えば、酸素）との電気化学反応によって発電する燃料電池がエネルギ源として注目されている。この燃料電池は、電解質膜（例えば、プロトン伝導性を有する固体高分子膜）の両面に、それぞれ、アノード、および、カソードを接合してなる発電体（例えば、膜電極接合体）を備えている。また、燃料電池において、発電体のアノード側には、アノードに供給すべき燃料ガスを流すための燃料ガス流路を構成する流路構成部材が設けられ、カソード側には、カソードに供給すべき酸化剤ガスを流すための酸化剤ガス流路を構成する流路構成部材が設けられる。そして、発電体のアノードには、燃料ガス流路から燃料ガスが供給され、また、カソードには、酸化剤ガス流路から酸化剤ガスが供給される。
【０００３】
【特許文献１】特開２００５−２４３４７６号公報
【特許文献２】特開２００７−４８５３８号公報
【特許文献３】特開２００５−２３５５７１号公報
【特許文献４】特開２００２−２８００２８号公報
【発明の開示】
【発明が解決しようとする課題】
【０００４】
ところで、上記発電体として、プロトン伝導性を有する電解質膜の両面に、それぞれ、アノード、および、カソードを接合してなる膜電極接合体を用いる場合、この膜電極接合体のカソードに供給される酸化剤ガスとしては、一般に、酸素を含む空気が用いられる。そして、酸化剤ガスとして空気を用いる場合、空気中に含まれる発電に寄与しないガスである窒素等の不純物ガスが、電解質膜を介して、カソード側からアノード側に透過する。
【０００５】
そして、アノードに供給された燃料ガスのほぼすべてが、燃料電池の外部に排出されることなく、燃料電池の内部に滞留された状態で発電に利用される、いわゆるアノードデッドエンド型燃料電池では、原則、燃料電池の外部へのアノードオフガスの排出を行わないため、この不純物ガスが、燃料電池（膜電極接合体）のアノード、あるいは、燃料ガス流路内に局所的に滞留する場合がある。この場合、不純物ガスが滞留した領域において、燃料ガスの濃度が低下して、膜電極接合体における発電分布が不均一になり、また、発電効率の低下を招く。
【０００６】
本発明は、上述の課題を解決するためになされたものであり、アノードデッドエンド型燃料電池において、発電に寄与しない不純物ガスの、アノード、あるいは、燃料ガス流路における局所的な滞留を抑制することを目的とする。
【課題を解決するための手段】
【０００７】
本発明は、上述の課題の少なくとも一部を解決するために以下の形態又は適用例として実現することが可能である。
【０００８】
［適用例１］電解質膜の両面に、それぞれ、アノード、および、カソードを接合してなる発電体を備え、前記アノードに供給された燃料ガスのほぼすべてを、外部に排出することなく、内部に滞留させた状態で発電に利用する燃料電池であって、前記発電体における前記アノードの表面側に設けられ、前記アノードに供給すべき燃料ガスを流すための燃料ガス流路を構成する流路構成部材を備え、前記流路構成部材は、前記燃料ガス流路中を流れる燃料ガスを前記アノードに供給するための供給口を備えており、前記アノード、および、前記流路構成部材の少なくとも一方は、前記アノード、および、前記燃料ガス流路の少なくとも一方の内部において、該内部に存在する流体を、少なくとも前記アノードの表面にほぼ平行な方向に循環させるための流体循環部を備える、燃料電池。
【０００９】
適用例１の燃料電池では、上記流体循環部によって、上記アノード、および、上記燃料ガス流路の少なくとも一方の内部において、その内部に存在する、先述した不純物ガスを含む流体を、少なくともアノードの表面にほぼ平行な方向に循環させることができるので、アノード、あるいは、燃料ガス流路における不純物ガスの局所的な滞留を抑制することができる。
【００１０】
なお、本適用例の燃料電池では、アノードと燃料ガス流路とは、完全には分離されてはいないが、流路構成部材によって、実質的に分離されており、燃料ガス流路からアノードへの燃料ガスの供給は、流路構成部材に設けられた供給口からのみ行われる。つまり、燃料ガスは、アノードと実質的に分離された燃料ガス流路中を、アノードの表面に沿った方向に流れ、上記供給口からアノードに供給される。
【００１１】
発電体のアノード側へ燃料ガスを供給して行なう燃料電池の運転を、アノードデッドエンド運転と呼ぶ。アノードデッドエンド運転では、燃料ガスのアノード側への供給を継続しつつ、アノード側からの燃料ガスの排出をしない状態で発電を継続する。結果的に、少なくとも定常発電時に供給された燃料ガスのほぼ全量をアノード側に留めて発電を行うことになる。発電体が、電解質膜の両面にアノードおよびカソードをそれぞれ接合してなる膜電極接合体を備え、アノード側に燃料ガス（多くは、水素または水素含有ガス）を供給して発電を行う場合には、アノードに供給された燃料ガスのほぼすべてを、外部に排出することなく、内部に滞留させた状態で発電に利用することになる。この場合、結果的には、燃料ガスが供給されるアノード側は、一般的に、燃料ガスを外部に排出あるいは放出しない閉塞構造となる。
【００１２】
本願明細書では、燃料ガスの消費層に供給されたほぼ総ての燃料ガスを燃料ガス消費層（アノード）で消費する運転の態様を、デッドエンド運転と呼ぶが、燃料ガス消費層からの燃料ガスの循環を意図せず、燃料ガスの消費層から名目的に燃料ガスを取り出して利用する形態が加えられていたとしても、当該構成は、デッドエンド運転に含まれる。例えば、燃料ガス消費層あるいはその上流から僅かな燃料ガスを取り出す流路を設け、取り出した燃料ガスを燃焼して補機などのプレヒートに用いる構成などを考えることができる。こうした名目的な燃料ガスの消費は、燃料ガスの取り出しを、燃料ガスの消費層もしくはその上流からとすることに格別な意味がなければ、本願明細書における「ほぼすべての燃料ガスの燃料ガス消費層で消費する」ことから除外される構成とはならない。
【００１３】
本願発明の燃料電池は、さらに、アノード極（水素極）の不純物（たとえば窒素）の分圧が、カソード極（空気極）の不純物（たとえば窒素）の分圧とつりあった状態で継続的に発電する運転状態を実現するものとして把握することもできる。ここで、「つりあった状態」とは、たとえば平衡状態を意味し、必ずしも両者の分圧が等しい状態に限られない。
【００１４】
本願発明の燃料電池は、さらに、たとえば図１９や図２０に示されるような構成をも含む。図１９の構成例は、第１の流路と第２の流路と有している。第１の流路は、第２の流路よりも上流側に配置されている。第１の流路および第２の流路は、第１の流路あるいは第２の流路よりも流れの抵抗が高い高抵抗連通部２１００ｘを介して連通している。これらの流路は、発電領域面外（燃料電池セルの外部）から燃料ガス導入口（マニホールド）を経由して燃料ガスを導入する。換言すれば、第２の流路への燃料ガスの供給は、主として高抵抗連通部２１００ｘを介して（たとえば高抵抗連通部２１００ｘのみを介して）第１の流路から導入される。
【００１５】
なお、第１の流路や第２の流路は、後述の実施例のように多孔体を利用しても形成可能であるが、たとえばシール材Ｓ１、Ｓ２の挟持（図１９）やハニカム構造材Ｈ２を使用した流路の形成（図２０）として構成してもよい。
【００１６】
高抵抗連通部２１００ｘは、たとえば図１９や図２０に示されるような複数の導入部２１１０ｘ（貫通孔）が面内方向に分散した板状部材が利用可能である。高抵抗連通部２１００ｘは、以下のうちの少なくとも一つの役割を有している。第１の役割は、「第２の流路のうち燃料ガス導入口に近接する領域への燃料ガス供給を制限する役割」である。第２の役割は、「アノード反応部に沿った第２の流路の面直方向に働くガス圧の面内の不均一を抑制する役割」である。第３の役割は、「第１の流路を面内方向に流れる燃料ガスの向きを面直方向（あるいは面に交差する方向）に変換する役割」である。
【００１７】
本願発明の燃料電池は、さらに、以下のような燃料電池システムとして把握することもできる。すなわち、この燃料電池システムは、
供給されたほぼすべての燃料ガスをアノード反応部で消費する態様を含む燃料電池システムであって、
発電セル内にアノードガスを導入する導入口と、
前記導入口から供給されたアノードガスをセル面内方向に導く第１のガス流路と、
前記アノード反応部に沿って延在し、
前記第１のガス流路より流れの抵抗が高く、第１のガス流路から第２のガス流路へのアノードガスの流入を妨げつつも、セル面内方向に分布した複数の連通部を介して、第１のガス流路から第２のガス流路へアノードガスを導く高抵抗部と、
を備える。
【００１８】
本願発明の燃料電池は、さらに、以下のような構成を含む燃料電池システムとして把握することもできる。すなわち、この燃料電池システムは、
前記高抵抗部は、前記アノード反応部のうち一の領域に対応した一の連通部と、他の領域に対応した他の連通部とを有し、
前記一の領域で消費されるアノードガスは、前記高抵抗部のうち一の連通部を通過したガスの比率が、他の連通部を通過したガスの比率より高い、
あるいは、
前記高抵抗部は、前記アノード反応部のうち一の領域に対応した一の連通部と、他の領域に対応した他の連通部とを有し、
前記一の連通部を通過したアノードガスは、前記アノード反応部のうちの一の領域で消費される比率が、他の領域で消費される比率より高い
といった構成も可能である。
【００１９】
一方、カソード流路は少なくとも上記高抵抗連通部が有さないことが好ましい。さらにカソード流路は、第２の流路も設けることなく、カソード導入口から供給されたカソードガスをセル面内方向に導く第１のガス流路のみとすることが好ましい。ただし、いわゆるガス拡散層を第２の流路と捉えれば、第１および第２の流路の組み合わせとしても良い。いずれにせよ、上記高抵抗連通部をカソード極からのみ省略することにより、カソードガスの送給機の仕事量の低減およびカソード極での排水性の向上が期待でき、特に、アノード極からの排水性能が低いシステム（燃料ガスの定常的排気の無い）燃料電池システムでは好適である。
【００２０】
［適用例２］適用例１記載の燃料電池であって、前記流体循環部として、流体素子を備える、燃料電池。
【００２１】
流体素子としては、純流体素子を用いるようにしてもよいし、可動形素子を用いるようにしてもよい。純流体素子とは、機械的に動く部分を用いないで、流体の流れで流体の挙動を制御する素子である。可動形素子とは、機械的に動く部分を用い、流体の流れで流体の挙動を制御する素子である。
【００２２】
適用例２の燃料電池では、流体循環部として、流体素子を備えるので、アノード、および、燃料ガス流路の少なくとも一方の内部において、その内部に存在する流体を、少なくともアノードの表面にほぼ平行な方向に循環させることができる。
【００２３】
［適用例３］適用例２記載の燃料電池であって、前記アノード、および、前記燃料ガス流路の少なくとも一方の内部には、前記流体中に含まれる発電に寄与しないガスである不純物ガスが滞留しやすい第１の領域と、該第１の部位よりも前記不純物ガスが滞留しにくい第２の領域とが存在しており、前記流体素子は、前記第１の領域に配置されている、燃料電池。
【００２４】
一般に、アノードデッドエンド型燃料電池では、アノードの表面に沿って、例えば、燃料ガスを一方向に流す場合には、燃料ガスの流れ方向の下流側の領域に、上流側の領域よりも上記不純物ガスが滞留しやすくなる。この場合、燃料ガスの流れ方向の下流側の領域が、上記第１の領域となり、上流側の領域が上記第２の領域となる。また、アノードの表面に沿って、例えば、燃料ガスを互いに対向する方向から流す場合には、燃料ガスの各導入部から比較的遠い領域に、比較的近い領域よりも上記不純物ガスが滞留しやすくなる。この場合、燃料ガスの各導入口から比較的遠い領域、すなわち、各導入部間の中間の領域が上記第１の領域となり、各導入部から比較的近い領域が上記第２の領域となる。
【００２５】
適用例３の燃料電池では、流体素子が、上記不純物ガスが滞留しやすい第１の領域に配置されているので、アノード、および、燃料ガス流路の少なくとも一方における不純物ガスの滞留を、より効果的に抑制することができる。
【００２６】
［適用例４］適用例１記載の燃料電池であって、前記流体循環部として、前記供給口から供給された燃料ガスの流れを利用して、前記流体の流れを制御するための整流板を備える、燃料電池。
【００２７】
適用例４の燃料電池では、流体循環部として、上記整流板を備えるので、アノード、および、燃料ガス流路の少なくとも一方の内部において、その内部に存在する流体を、少なくともアノードの表面にほぼ平行な方向に循環させることができる。
【００２８】
［適用例５］
適用例１ないし４のいずれかに記載の燃料電池であって、前記流路構成部材は、前記発電体における前記アノードの表面側に積層され、導電性、および、ガス不透過性を有するシート状のシート部材と、前記シート部材の表面側に積層され、導電性、および、ガス拡散性を有し、前記燃料ガス流路となる多孔質部材と、前記多孔質部材の表面側に積層され、前記発電体で発電された電力を集電する集電部材と、によって構成されており、前記供給口は、前記シート部材の面内に形成されている、燃料電池。
【００２９】
適用例５の燃料電池では、多孔質部材を燃料ガス流路とし、シート部材と、集電部材とを、燃料ガス流路の流路壁とすることができる。
【００３０】
［適用例６］適用例１ないし４のいずれかに記載の燃料電池であって、前記流路構成部材は、少なくとも前記発電体を挟持し、前記発電体で発電された電力を集電する集電部材であり、前記燃料ガス流路は、前記集電部材の内部に形成されており、前記供給口は、前記集電部材の前記アノードと対向する側の面に形成されている、燃料電池。
【００３１】
［適用例７］適用例６記載の燃料電池であって、前記アノードと前記集電部材との間には、導電性、および、ガス拡散性を有する多孔質部材が介装されている、燃料電池。
【００３２】
適用例７の燃料電池では、集電部材に形成された燃料ガス供給口から供給された燃料ガスを、上記多孔質部材によって十分に拡散させ、発電体のアノードに供給することができる。
【００３３】
本発明は、上述した種々の特徴の一部を省略したり、適宜、組み合わせたりして構成することができる。また、本発明は、上述の燃料電池としての構成の他、上述の燃料電池を備える燃料電池システムの発明として構成することもできる。
【発明を実施するための最良の形態】
【００３４】
以下、本発明の実施の形態について、実施例に基づき説明する。
Ａ．第１実施例：
Ａ１．燃料電池システムの構成：
図１は、本発明の燃料電池を備える第１実施例としての燃料電池システム１０００の概略構成を示す説明図である。
【００３５】
燃料電池１００は、後述するように、概ね、プロトン伝導性を有する電解質膜の両面に、それぞれ、アノード、および、カソードを接合してなる膜電極接合体１０を、セパレータによって挟持することによって構成されている。膜電極接合体１０において、アノード、および、カソードは、それぞれ、電解質膜の各表面に接合された触媒層と、この触媒層の表面に接合されたガス拡散層とを備えている。本実施例では、電解質膜として、ナフィオン（登録商標）等の固体高分子膜を用いるものとした。電解質膜として、固体酸化物等、他の電解質膜を用いるものとしてもよい。
【００３６】
図示するように、本実施例では、燃料電池１００のアノードには、水素供給配管２０、および、水素供給配管２０から分岐して接続された水素供給配管２２を介して、膜電極接合体１０のアノードの両端部から、燃料ガスとしての水素が供給される。水素供給配管２０の水素供給配管２２との接続部の上流側には、レギュレータ２４等が配設されており、アノードに供給される水素の供給圧力、および、供給量が調整される。なお、本実施例の燃料電池１００は、アノードに供給された水素のほぼすべてが、燃料電池１００の外部に排出されることなく、燃料電池１００の内部に滞留された状態で発電に利用される、いわゆるアノードデッドエンド型燃料電池である。
【００３７】
また、燃料電池１００のカソードには、空気供給配管３０を介して、エアコンプレッサ３２によって圧縮された圧縮空気が、酸素を含有した酸化剤ガスとして供給される。カソードから排出されるカソードオフガスは、カソードオフガス排出配管３４を介して、燃料電池１００の外部に排出される。
【００３８】
燃料電池システム１０００の運転は、制御ユニット４０によって制御される。制御ユニット４０は、内部にＣＰＵ、ＲＡＭ、ＲＯＭなどを備えるマイクロコンピュータとして構成されており、ＲＯＭに記憶されたプログラムに従って、例えば、各種バルブや、ポンプの駆動等、システムの運転を制御する。
【００３９】
Ａ２．燃料電池の構成：
図２は、第１実施例の燃料電池１００の概略構成を示す説明図である。図１中に破線で示した領域Ｒｍ、すなわち、燃料電池１００の、２箇所の水素導入部からの距離が比較的遠い中央領域における断面図を示した。
【００４０】
図示するように、燃料電池１００において、膜電極接合体１０は、電解質膜１１０の一方の面に、カソード側触媒層１１０ｃと、カソード側拡散層１２０ｃとをこの順に積層させ、他方の面に、アノード側触媒層１１０ａと、アノード側拡散層１２０ａとを、この順にそれぞれ積層させたものである。これらは、例えば、ホットプレス接合によって接合されている。本実施例では、アノード側拡散層１２０ａ、および、カソード側拡散層１２０ｃとして、カーボンクロスを用いるものとした。カーボンクロスの代わりに、カーボンペーパ等、導電性、および、ガス拡散性を有する他の部材を用いるようにしてもよい。アノード側触媒層１１０ａ、および、アノード側拡散層１２０ａは、本発明におけるアノードに相当する。また、カソード側触媒層１１０ｃ、および、カソード側拡散層１２０ｃは、本発明におけるカソードに相当する。
【００４１】
そして、本実施例では、膜電極接合体１０のカソード側拡散層１２０ｃの表面には、カソード側金属多孔体１３０ｃと、カソード側セパレータ１４０ｃとが、この順に積層されている。カソード側金属多孔体１３０ｃは、空気供給配管３０から供給された空気が流れる酸化剤ガス流路となる。そして、図中に破線（太線）矢印で示したように、カソード側金属多孔体１３０ｃ中を拡散しつつ流れる空気は、カソード側拡散層１２０ｃに供給され、さらに、カソード側触媒層１１０ｃに供給される。なお、本実施例では、酸化剤ガス流路として、金属多孔体を用いるものとしたが、金属多孔体の代わりに、カーボン多孔体等、導電性、および、ガス拡散性を有する他の多孔質部材を用いるようにしてもよい。
【００４２】
また、膜電極接合体のアノード側拡散層１２０ａの表面には、導電性、および、ガス不透過性を有するシート部材１２５と、アノード側金属多孔体１３０ａと、アノード側セパレータ１４０ａとが、この順に積層されている。本実施例では、シート部材１２５として、金属板を用いるものとした。そして、このシート部材１２５には、その厚さ方向に貫通する複数の貫通孔（水素供給口１２５ｉ）が形成されている。
【００４３】
アノード側金属多孔体１３０ａは、水素供給配管２０、および、水素供給配管２２から供給された水素が流れる燃料ガス流路となる。そして、図中に実線矢印で示したように、アノード側金属多孔体１３０ａ中を拡散しつつ流れる水素は、シート部材１２５に形成された各水素供給口１２５ｉを通じて、アノード側拡散層１２０ａに供給され、さらに、アノード側触媒層１１０ａに供給される。シート部材１２５と、アノード側金属多孔体１３０ａと、アノード側セパレータ１４０ａとは、本発明における流路構成部材に相当する。なお、本実施例では、燃料ガス流路として、金属多孔体を用いるものとしたが、金属多孔体の代わりに、カーボン多孔体等、導電性、および、ガス拡散性を有する他の多孔質部材を用いるようにしてもよい。
【００４４】
また、図示は省略しているが、シート部材１２５において、複数の水素供給口１２５ｉは、シート部材１２５の面内に、二次元的に分散して配置されている。本実施例では、シート部材１２５において、複数の水素供給口１２５ｉは、格子状に配列されており、また、各水素供給口１２５ｉは、すべて同一の円形形状であるものとした（図示省略）。このように、シート部材１２５において、複数の水素供給口１２５ｉを、シート部材１２５の面内に、二次元的に分散して配置することによって、アノード側金属多孔体１３０ａからアノード側拡散層１２０ａの全体に、水素をシャワー状に供給することができるので、アノード側拡散層１２０ａ、および、アノード側触媒層１１０ａにおける水素の濃度分布を均一化し、膜電極接合体における発電分布を均一化することができる。
【００４５】
さらに、本実施例の燃料電池１００では、燃料ガス流路としてのアノード側金属多孔体１３０ａの面内のほぼ中央部にエゼクタ１５０が埋め込まれている。このエゼクタ１５０には、ガス導入口１５０ｉと、流体排出口１５０ｏと、複数の流体吸引口１５０ｓとが設けられており、これらは、エゼクタ１５０の内部において、互いに連通している。そして、ガス導入口１５０ｉと流体排出口１５０ｏとの間には、ノズル部が設けられており（符号省略）、このノズル部に、複数の流体吸引口１５０ｓが連通している。また、アノード側セパレータ１４０ａの内部には、エゼクタ１５０のガス導入口１５０ｉに水素を供給するためのバイパス流路１４２が形成されている。なお、バイパス流路１４２内は、空隙であり、アノード側金属多孔体１３０ａ内と比較して圧損が少ないため、バイパス流路１４２からエゼクタ１５０のガス導入口１５０ｉに供給される水素は、アノード側金属多孔体１３０ａ内を流れる水素と比較して、高圧である。
【００４６】
エゼクタ１５０は、アノード側セパレータ１４０ａのバイパス流路１４２から供給され、ガス導入口１５０ｉから導入された比較的高圧の水素の流速を、ノズル部において増大させ、そのときに低下する静圧によって、流体吸引口１５０ｓから、比較的低圧のアノード側金属多孔体１３０ａ内に存在する流体を吸引する。そして、ガス導入口１５０ｉから導入された水素と、流体吸引口１５０ｓから吸引された流体とは、ノズル部において混合され、流体排出口１５０ｏから排出される。このような作用によって、エゼクタ１５０は、アノード側金属多孔体１３０ａ内に存在する流体を、少なくともアノードの表面にほぼ平行な方向に循環させることができる。エゼクタ１５０は、本発明における流体素子に相当し、エゼクタ１５０、および、バイパス流路１４２は、本発明における流体循環部に相当する。
【００４７】
Ａ３．第１実施例の効果：
本実施例の燃料電池システム１０００では、酸化剤ガスとして、空気を利用しており、この空気には、燃料電池１００に備えられた膜電極接合体１０における発電に寄与しないガスである窒素等の不純物ガスが含まれている。したがって、図２中に、破線（細線）矢印で示したように、膜電極接合体１０のカソード側拡散層１２０ｃ、および、カソード側触媒層１１０ｃに供給された空気に含まれる窒素（不純物ガス）は、電解質膜１１０を介して、アノード側触媒層１１０ａ、および、アノード側拡散層１２０ａに透過する。そして、この不純物ガスは、アノード側拡散層１２０ａから、シート部材１２５に形成された水素供給口１２５ｉを通じて、アノード側金属多孔体１３０ａにも逆流する。そして、アノード側金属多孔体１３０ａ内に、先に説明したエゼクタ１５０が設けられていない場合には、不純物ガスは、膜電極接合体１０の両端部から供給された水素の流れによって、本発明における第１の領域に相当するアノード側金属多孔体１３０ａの中央領域に、局所的に滞留しやすくなる。そして、不純物ガスが局所的に滞留すると、その領域において、アノード側金属多孔体１３０ａ内における水素の濃度が低下して、膜電極接合体１０における発電分布が不均一になり、また、発電効率の低下を招く。
【００４８】
第１実施例の燃料電池１００によれば、燃料ガス流路としてのアノード側金属多孔体１３０ａ内の、不純物ガスが滞留しやすい部位に、エゼクタ１５０が備えられているので、アノード側金属多孔体１３０ａ内に存在する不純物ガスを含む流体を、少なくともアノードの表面にほぼ平行な方向に、効果的に循環させることができる。したがって、アノード側金属多孔体１３０ａにおける不純物ガスの局所的な滞留を抑制することができる。この結果、上述した膜電極接合体１０における発電分布の不均一や、発電効率の低下を抑制することができる。
【００４９】
Ｂ．第２実施例：
Ｂ１．燃料電池システムの構成：
第２実施例の燃料電池システムの構成は、燃料電池の構成が、第１実施例における燃料電池１００と異なっている。そして、このこと以外は、先に説明した第１実施例の燃料電池システム１０００と同じである（図１参照）。したがって、第２実施例の燃料電池システムの構成についての図示、および、説明は省略し、以下、第２実施例の燃料電池１００Ａについて説明する。
【００５０】
Ｂ２．燃料電池の構成：
図３は、第２実施例の燃料電池１００Ａの概略構成を示す説明図である。図２と同様に、燃料電池１００Ａの、２箇所の水素導入部からの距離が比較的遠い中央領域（図１に示した領域Ｒｍ）における断面図を示した。
【００５１】
図示するように、本実施例の燃料電池１００Ａは、先に説明した第１実施例の燃料電池１００におけるシート部材１２５を備えていない。また、アノード側セパレータ１４０ａの構造が、第１実施例の燃料電池１００におけるアノード側セパレータ１４０ａの構造と異なっている。そして、これらのこと以外は、第１実施例の燃料電池１００と同じである。
【００５２】
アノード側セパレータ１４０Ａａの内部には、水素供給配管２０、および、水素供給配管２２から供給された水素が流れる燃料ガス流路１４２Ａａｐが形成されている。また、アノード側セパレータ１４０ａの、アノード側金属多孔体１３０ａと当接する側の面には、複数の水素供給口１４０Ａａｉが形成されている。そして、各水素供給口１４０Ａａｉの形状は、第１実施例の燃料電池１００におけるシート部材１２５に形成された水素供給口１２５ｉの形状と同じである。
【００５３】
また、図示は省略しているが、アノード側セパレータ１４０Ａａにおいて、複数の水素供給口１４０Ａａｉは、第１実施例の燃料電池１００におけるシート部材１２５に形成された水素供給口１２５ｉと同様に配列されている。アノード側セパレータ１４０ａは、本発明における流路構成部材に相当する。なお、第１実施例では、アノード側金属多孔体１３０ａは、本発明における燃料ガス流路に相当するものとしたが、本実施例では、アノード側セパレータ１４０Ａａが内部に燃料ガス流路を備える流路構成部材に相当するため、アノード側金属多孔体１３０ａは、本発明におけるアノードの一部に相当する。
【００５４】
そして、本実施例の燃料電池１００Ａでは、アノードの一部としてのアノード側金属多孔体１３０ａの面内のほぼ中央部に１５０が埋め込まれている。そして、このエゼクタ１５０は、アノード側セパレータ１４０Ａａに形成された水素供給口１４０Ａａｉから供給され、ガス導入口１５０ｉから導入された比較的高圧の水素の流速を、ノズル部において増大させ、そのときに低下する静圧によって、流体吸引口１５０ｓから、比較的低圧のアノード側金属多孔体１３０ａ内に存在する流体を吸引する。そして、ガス導入口１５０ｉから導入された水素と、流体吸引口１５０ｓから吸引された流体とは、ノズル部において混合され、流体排出口１５０ｏから排出される。
【００５５】
Ｂ３．第２実施例の効果：
以上説明した第２実施例の燃料電池１００Ａによれば、アノードの一部としてのアノード側金属多孔体１３０ａ内の、不純物ガスが滞留しやすい部位に、第１実施例において説明したエゼクタ１５０が備えられているので、アノード側金属多孔体１３０ａ内に存在する不純物ガスを含む流体を、少なくともアノードの表面にほぼ平行な方向に、効果的に循環させることができる。したがって、アノード側金属多孔体１３０ａにおける不純物ガスの局所的な滞留を抑制することができる。この結果、上述した膜電極接合体１０における発電分布の不均一や、発電効率の低下を抑制することができる。
【００５６】
Ｃ．第３実施例：
Ｃ１．燃料電池システムの構成：
第３実施例の燃料電池システムの構成は、燃料電池の構成が、第１実施例における燃料電池１００と異なっている。そして、このこと以外は、先に説明した第１実施例の燃料電池システム１０００と同じである（図１参照）。したがって、第３実施例の燃料電池システムの構成についての図示、および、説明は省略し、以下、第３実施例の燃料電池１００Ｂについて説明する。
【００５７】
Ｃ２．燃料電池の構成：
図４は、第３実施例の燃料電池１００Ｂの概略構成を示す説明図である。図４（ａ）に、燃料電池１００Ｂの断面図を示した。また、図４（ｂ）に、図４（ａ）におけるアノード側金属多孔体１３０Ｂａの平面図を示した。
【００５８】
図４（ａ）に示したように、本実施例の燃料電池１００Ｂは、先に説明した第１実施例の燃料電池１００におけるシート部材１２５も、エゼクタ１５０も、アノード側セパレータ１４０ａに形成されたバイパス流路１４２も備えていない。また、アノード側金属多孔体１３０Ｂａの構造が、第１実施例の燃料電池１００におけるアノード側金属多孔体１３０ａの構造と異なっている。そして、これらのこと以外は、第１実施例の燃料電池１００と同じである。なお、本実施例において、アノード側金属多孔体１３０Ｂａは、本発明における燃料ガス流路に相当する。
【００５９】
また、図４（ｂ）に示したように、アノード側金属多孔体１３０Ｂａの内部には、略Ｓ字型の整流板１３２が、厚さ方向全体に亘って埋め込まれている。そして、図の左側から（図１に示した水素供給配管２０から）供給された水素は、整流板１３２の湾曲部１３２ａによって、図中に矢印で示したように、流れ方向が制御される。また、図の右側から（図１に示した水素供給配管２２から）供給された水素は、整流板１３２の湾曲部１３２ｂによって、図中に矢印で示したように、流れ方向が制御される。整流板１３２は、本発明における流体循環部に相当する。
【００６０】
Ｃ３．第３実施例の効果：
以上説明した第３実施例の燃料電池によれば、燃料ガス流路としてのアノード側金属多孔体１３０Ｂａ内に、上述した整流板１３２が埋め込まれているので、水素供給配管２０、および、水素供給配管２２から供給された水素の流れによって、アノード側金属多孔体１３０Ｂａ内に存在する不純物ガスを含む流体を、少なくともアノードの表面にほぼ平行な方向に循環させることができる。したがって、アノード側金属多孔体１３０Ｂａにおける不純物ガスの局所的な滞留を抑制することができる。この結果、先に説明した膜電極接合体１０における発電分布の不均一や、発電効率の低下を抑制することができる。
【００６１】
Ｄ．第４実施例：
Ｄ１．燃料電池システムの構成：
図５は、本発明の燃料電池を備える第４実施例としての燃料電池システム１０００Ｃの概略構成を示す説明図である。この燃料電池システム１０００Ｃは、燃料電池の構成、および、水素供給配管の構成が、先に説明した第１実施例の燃料電池システム１０００と異なっており、水素供給配管２０に接続された水素供給配管２２を備えていない。すなわち、本実施例の燃料電池システム１０００Ｃでは、燃料電池１００Ｃのアノードには、水素供給配管２０を介して、膜電極接合体１０のアノードの一方の端部から、燃料ガスとしての水素が供給される。このこと以外は、先に説明した第１実施例の燃料電池システム１０００と同じである。したがって、以下、第４実施例の燃料電池１００Ｃについて説明する。
【００６２】
Ｄ２．燃料電池の構成：
図６は、第４実施例の燃料電池１００Ｃの概略構成を示す説明図である。図５中に破線で示した領域Ｒｌ、すなわち、燃料電池１００Ｃにおける水素の流れ方向の下流領域における燃料電池１００Ｃの断面図を示した。
【００６３】
図６と図２との比較から分かるように、第１実施例の燃料電池１００の構成と本実施例の燃料電池１００Ｃの構成とは、ほぼ同じである。ただし、本実施例の燃料電池１００Ｃでは、第１実施例の燃料電池１００と異なり、シート部材１２５を備えていない。また、燃料ガス流路としてのアノード側金属多孔体１３０Ｃａの面内の、水素の流れ方向の下流領域にエゼクタ１５０が埋め込まれている。また、アノード側セパレータ１４０Ｃａの内部には、エゼクタ１５０のガス導入口１５０ｉに水素を供給するためのバイパス流路１４２Ｃが形成されている。
【００６４】
エゼクタ１５０は、アノード側セパレータ１４０ａのバイパス流路１４２Ｃから供給され、ガス導入口１５０ｉから導入された比較的高圧の水素の流速を、ノズル部において増大させ、そのときに低下する静圧によって、流体吸引口１５０ｓから、比較的低圧のアノード側金属多孔体１３０Ｃａ内に存在する流体を吸引する。そして、ガス導入口１５０ｉから導入された水素と、流体吸引口１５０ｓから吸引された流体とは、ノズル部において混合され、流体排出口１５０ｏから排出される。このような作用によって、エゼクタ１５０は、アノード側金属多孔体１３０Ｃａ内に存在する流体を、少なくともアノードの表面にほぼ平行な方向に循環させることができる。
【００６５】
Ｄ３．第４実施例の効果：
本実施例の燃料電池システム１０００Ｃでは、第１実施例の燃料電池システム１０００と同様に、酸化剤ガスとして、空気を利用しており、この空気には、燃料電池１００Ｃに備えられた膜電極接合体１０における発電に寄与しないガスである窒素等の不純物ガスが含まれている。したがって、図６中に、破線（細線）矢印で示したように、膜電極接合体１０のカソード側拡散層１２０ｃ、および、カソード側触媒層１１０ｃに供給された空気に含まれる窒素（不純物ガス）は、電解質膜１１０を介して、アノード側触媒層１１０ａ、および、アノード側拡散層１２０ａに透過する。そして、この不純物ガスは、アノード側拡散層１２０ａからアノード側金属多孔体１３０Ｃａにも拡散する。そして、アノード側金属多孔体１３０Ｃａ内に、先に説明したエゼクタ１５０が設けられていない場合には、不純物ガスは、膜電極接合体１０の両端部から供給された水素の流れによって、本発明における第１の領域に相当するアノード側金属多孔体１３０ａの、水素の流れ方向の下流側の領域に、局所的に滞留しやすくなる。そして、不純物ガスが局所的に滞留すると、その領域において、アノード側金属多孔体１３０Ｃａ内における水素の濃度が低下して、膜電極接合体１０における発電分布が不均一になり、また、発電効率の低下を招く。
【００６６】
以上説明した第４実施例の燃料電池によれば、燃料ガス流路としてのアノード側金属多孔体１３０Ｃａ内の、不純物ガスが滞留しやすい部位に、先に説明したエゼクタ１５０が備えられているので、アノード側金属多孔体１３０ａ内に存在する不純物ガスを含む流体を、少なくともアノードの表面にほぼ平行な方向に、効果的に循環させることができる。したがって、アノード側金属多孔体１３０ａにおける不純物ガスの局所的な滞留を抑制することができる。この結果、上述した膜電極接合体１０における発電分布の不均一や、発電効率の低下を抑制することができる。
【００６７】
Ｅ．第５実施例：
Ｅ１．燃料電池システムの構成：
第５実施例の燃料電池システムの構成は、燃料電池の構成が、第４実施例における燃料電池と異なっている。そして、このこと以外は、先に説明した第４実施例の燃料電池システム１０００Ｃと同じである（図５参照）。したがって、第５実施例の燃料電池システムの構成についての図示、および、説明は省略し、以下、第５実施例の燃料電池１００Ｄについて説明する。
【００６８】
Ｅ２．燃料電池の構成：
図７は、第５実施例の燃料電池１００Ｄの概略構成を示す説明図である。図７（ａ）に、燃料電池１００Ｄの断面図を示した。また、図７（ｂ）に、図７（ａ）におけるアノード側金属多孔体１３０Ｄａの平面図を示した。
【００６９】
図７（ａ）に示したように、本実施例の燃料電池１００Ｄは、先に説明した第４実施例の燃料電池１００Ｃにおけるエゼクタ１５０を備えていない。また、アノード側金属多孔体１３０Ｄａの構造が、第４実施例の燃料電池１００Ｃにおけるアノード側金属多孔体１３０Ｃａの構造と異なっている。そして、これらのこと以外は、第４実施例の燃料電池１００Ｄと同じである。
【００７０】
また、図７（ｂ）に示したように、アノード側金属多孔体１３０Ｄａの内部における、水素の流れ方向の最下流部に、略Ｗ字型の整流板１３４が、厚さ方向全体に亘って埋め込まれている。そして、図の左側から（図５に示した水素供給配管２０から）供給された水素は、整流板１３４の湾曲部１３４ａ、および、湾曲部１３４ｂによって、図中に矢印で示したように、流れ方向が制御される。
【００７１】
Ｅ３．第５実施例の効果：
以上説明した第５実施例の燃料電池によれば、燃料ガス流路としてのアノード側金属多孔体１３０Ｄａ内に、上述した整流板１３４が埋め込まれているので、水素供給配管２０から供給された水素の流れによって、アノード側金属多孔体１３０Ｄａ内に存在する不純物ガスを含む流体を、少なくともアノードの表面にほぼ平行な方向に循環させることができる。したがって、アノード側金属多孔体１３０Ｄａにおける不純物ガスの局所的な滞留を抑制することができる。この結果、先に説明した膜電極接合体１０における発電分布の不均一や、発電効率の低下を抑制することができる。
【００７２】
Ｆ．変形例：
以上、本発明のいくつかの実施の形態について説明したが、本発明はこのような実施の形態になんら限定されるものではなく、その要旨を逸脱しない範囲内において種々なる態様での実施が可能である。例えば、以下のような変形が可能である。
【００７３】
Ｆ１．変形例１：
上記実施例では、本発明を単電池に適用した場合について説明したが、複数の膜電極接合体１０を、セパレータを介在させて積層した燃料電池スタックに適用するようにしてもよい。この場合、上記実施例では、図示、および、説明の都合上、アノード側セパレータと、カソード側セパレータとを、別体として描いたが、アノード側セパレータと、カソード側セパレータとを、一体的に作製するようにしてもよい。
【００７４】
Ｆ２．変形例２：
上記第１実施例、および、第４実施例では、燃料電池１００、および、燃料電池１００Ｃにおいて、燃料ガス流路としてのアノード側金属多孔体１３０ａ内、および、アノード側金属多孔体１３０Ｃａ内に、エゼクタ１５０を埋め込むものとしたが、本発明は、これに限られない。エゼクタ１５０を、アノード側拡散層１２０ａ内に埋め込むようにしてもよい。この場合、アノード側金属多孔体１３０ａ内、アノード側金属多孔体１３０Ｃａ内に、バイパス流路１４２、バイパス流路１４２Ｃから、エゼクタ１５０のガス導入口１５０ｉに水素を供給するための流路を設ければよい。
【００７５】
Ｆ３．変形例３：
上記第２実施例では、燃料電池１００Ａにおいて、アノードの一部としてのアノード側金属多孔体１３０ａ内に、エゼクタ１５０が埋め込まれているものとしたが、本発明は、これに限られない。エゼクタ１５０を、アノード側セパレータ１４０Ａａに形成された燃料ガス流路１４２Ａａｐ内に設けるようにしてもよい。また、アノード側金属多孔体１３０ａを省略し、アノード側拡散層１２０ａ内に、エゼクタ１５０を埋め込むようにしてもよい。
【００７６】
Ｆ４．変形例４：
上記第１実施例、第２実施例、および、第４実施例では、燃料電池１００，１００Ａ，１００Ｃにおいて、エゼクタ１５０の数を１つとしたが、本発明は、これに限られない。エゼクタ１５０は、先に説明した不純物ガスが滞留しやすい領域に、複数設けるようにしてもよい。
【００７７】
Ｆ５．変形例５：
上記第１実施例、第２実施例、および、第４実施例では、燃料電池１００，１００Ａ，１００Ｃにおいて、流体素子として、エゼクタ１５０を用いるものとしたが、本発明は、これに限られない。エゼクタ１５０の代わりに、他の純流体素子や、可動形素子を用いるようにしてもよい。
【００７８】
Ｆ６．変形例６：
上記第３実施例、および、第５実施例では、燃料電池１００Ｂ、および、燃料電池１００Ｄにおいて、整流板１３２、および、整流板１３４の形状を、比較的簡易な構造としたが、さらに複雑な構造としてもよい。これらの構造は、アノード側金属多孔体への水素の導入部の数や位置に応じて、実験的、あるいは、解析的に、任意に設計可能である。
【００７９】
Ｆ７．変形例７：
本発明は、一般に、アノードデッドエンド型燃料電池において、アノード、および、流路構成部材の少なくとも一方が、アノード、および、燃料ガス流路の少なくとも一方の内部において、その内部に存在する流体を、少なくともアノードの表面にほぼ平行な方向に循環させるための流体循環部を備えればよい。したがって、上記各実施例の特徴の一部を、適宜、組み合わせるようにしてもよい。例えば、燃料ガス流路内、および、アノード内の双方に、エゼクタ１５０を備えるようにしてもよい。また、例えば、第１実施例と、第３実施例とを組み合わせて、アノード側金属多孔体１３０ａ内に、整流板１３２と、エゼクタ１５０との双方を埋め込むようにしてもよい。また、第２実施例の燃料電池１００Ａにおいて、エゼクタ１５０を省略し、アノード側セパレータ１４０Ａａの燃料ガス流路１４２Ａａｐ内に、整流板を設けるようにしてもよい。
【００８０】
Ｆ８．変形例８：
上述した実施例では、アノードに供給された燃料ガスが、ほぼ全量、アノードで消費される構造を採用しているが、係る構造での運転が可能としているアノードへの燃料供給の流路構成としては、種々の構成が採用可能である。代表的な流路構成として、ここでは、上述した構成（以下、「シャワー流路タイプ」と呼ぶ）の他、櫛歯型の構成や循環型の構成などを挙げることができる。まず、シャワー流路タイプの変形例から説明する。
【００８１】
図８は、第１変形例の構成を示す説明図である。第１変形例では、上述の実施例のシート部材に相当する分散板２１００が膜電極接合体２０００と一体として形成された構成を有している。膜電極接合体２０００は、水素側電極２２００と電解質膜２３００とを有している。また、分散板２１００には、所定間隔で多数の細孔（オリフィス）２１１０が設けられている。
【００８２】
図９は、分散板２１００の機能を説明する説明図である。燃料ガスは、分散板２１００によって水素ガスを消費する水素側電極２２００から隔離された上流側の流路で分配される。上流側の流路で分配された燃料ガスは、分散板２１００に設けられた細孔２１１０を通って、燃料ガス消費層である水素側電極２２００に局所的に供給される。つまり、本変形例では、燃料ガスは、細孔２１１０の存在位置に対応する部位の水素側電極２２００に直接的に供給される。こうした局所的な燃料ガスの供給を実現する構成としては、例えば、燃料ガスが、水素側電極２２００の他の領域を経由することなく、燃料ガスを消費する部位に直接供給する経路を有する構成、あるいは水素側電極２２００の面外の離れた方向（好ましくは水素側電極２２００から隔離された流路）から水素側電極２２００に向かって、主として垂直な方向に燃料ガスを供給する構成なども採用可能である。一方、水素側電極２２００は、窒素の滞留が発生しにくい形状とすればよい。例えば、平滑な面（フラットな面）から構成し、電解質膜２３００側に凹部などを有しない形状とすればよい。
【００８３】
分散板２１００の細孔２１１０の径およびピッチは、実験的に定めることができるが、例えば所定の運転状態（たとえば定格運転状態）において、細孔２１１０を通過する燃料ガスの流速が窒素ガスの拡散による逆流を十分に抑制できるようにしても良い。係る条件が成立するように、細孔２１１０における十分な流速あるいは十分な圧力損失が発生するように、細孔２１１０の間隔と流路断面積を設定すればよい。たとえば、固体高分子型燃料電池では、分散板２１００の開口率を１％程度以下とすることで、十分な流速あるいは十分な圧力損失が発生することが確認された。開口率とは、分散板２１００の開口面積を分散板２１００の全面積で除した割合である。このような開口率は、循環型の燃料ガス流路と比較すると１桁から２桁程度少ないため、循環型の燃料ガス流路にコンプレッサを用いて燃料ガスの流量を確保する構成とは本質的に異なっている。本実施例および変形例では、燃料タンクからの高圧水素を直接（あるいは所定の高圧圧力まで調圧弁で調圧した状態で）、燃料電池に導くことにより、開口率の低い構造でも十分な燃料ガスを確保している。
【００８４】
次に、上述のシャワー流路タイプの他の構成例について説明する。図１０は、第２変形例の構成を示す説明図である。この変形例では、水素側電極２２００と電解質膜２３００とを備えた膜電極接合体２２０１上に配置される分散板２１０１を、緻密な多孔体を用いて実現している。分散板２１０１の多孔体の開口率は、十分な流速あるいは十分な圧力損失が発生するように選択されている。細孔を用いた場合には、細孔毎に、いわば離散化して、燃料ガスが局所的に供給されるのに対して、多孔体を用いた場合には、連続的に燃料ガスを供給することができるという利点を有している。また燃料ガスの水素側電極２２００への供給が一層均一化されるという利点も得られる。緻密な多孔体は、カーボン粉を焼結することによって製造しても良いし、カーボン分や金属粉をバインド剤を用いて固めることにより製造することも可能である。多孔は、連続多孔体であれば良く、厚さ方向への連続性を確保して面方向の連続性を確保しない異方性を備えたものとしても良い。多孔体の開口率については、第１変形例と同様に決定すればよい。
【００８５】
次に第３変形例について説明する。図１１は、プレスメタルを用いて構成された分散板２１０２を示す説明図、図１２は、図１１におけるＣ−Ｃ断面を示す模式図である。分散板２１０２は、分散板２１０２の上流側の流路を形成するための突部２１０２ｔを備え、この突部２１０２ｔの側面には細孔２１１２が形成されている。この分散板２１０２は、電解質膜２３００の両側に水素側電極２２００と酸素側電極２４００とを備えた膜電極接合体２２０２の水素側電極２２００側に配置されており、図１２に示したように、突部２１０２ｔを利用して、分散板２１０２の上流側の流路を一体に形成している。燃料ガスは、この突部２１０２ｔの側面に形成された細孔２１１２を介して、水素側電極２２００に供給される。
【００８６】
係る構成によれば、分散板２１０２をプレス加工により容易に形成することができるうえ、分散板２１０２上流の流路を簡易に形成できるという利点も得られる。細孔２１１２を通過した燃料ガスは、突部２１０２ｔ内部の空間を経て、水素側電極２２００に到るので、分散性を十分に確保することができる。細孔２１１２は、プレス加工に拠って形成しても良いし、突部２１０２ｔの形成の前工程または後工程において、放電加工など、他の手法により形成しても良い。細孔２１１２による開口率については、第１変形例と同様に決定すればよい。
【００８７】
次に、第４変形例について説明する。図１３は、分散板２０１４ｈｍの内部に、流路を形成した構成例を示す説明図である。この変形例の分散板２０１４ｈｍは、長方形の形状の分散板２０１４ｈｍの短手方向に形成された複数の流路２１４２ｎと、この流路２１４２ｎから、分散板２０１４ｈｍの厚さ方向に設けられ、図示しない水素電極側に開披した多数の細孔２１４３ｎとを備える。分散板２０１４ｈｍは、電解質膜２３００の両側に水素側電極（図示せず）と酸素側電極２４００とを備えた膜電極接合体２２０３の水素側電極側に配置されており、分散板２０１４ｈｍを介して、燃料ガスの供給を受ける。係る構成に拠れば、各細孔２１４３ｎまでの流路を、個別に用意できるという利点が得られる。なお、図１５では、細孔２１４３ｎの配置は千鳥状としたが、格子状であってもよいし、ある程度ランダムに配置しても良い。
【００８８】
次に、第５変形例について説明する。図１４は、パイプを使用して分散板２０１４ｈｐを形成した例を示す説明図である。分散板２０１４ｈｐは、図１４に示したように、矩形のフレーム２１４０を備え、その短手方向に亘って、中空の多数のパイプ２１３０を備えている。このパイプ２１３０の表面には、複数の細孔２１４１ｎが形成されている。この分散板２０１４ｈｐは、水素側電極２２００とで電解質膜２３００とを備えた膜電極接合体２２０４の水素側電極２２００上に設置される。分散板２０１４ｈｐのフレーム２１４０に用意されたガス流入口から燃料ガスを供給すると、燃料ガスは、分散板２０１４ｈｐの各パイプ２１３０の内部を通り、細孔２１４１ｎから、水素側電極２２００へと分配される。係る構成によれば、燃料ガスを均一に分散できるのに加えて、分散板２０１４ｈｐを構成するのに細孔２１４１ｎを除いて穴加工を行なう必要がないという利点が得られる。細孔２１４１ｎは、水素側電極２２００側に向けて配置して良いし、反対側に向けて配置してもよい。後者の場合には、燃料ガスの分散性は一層改善される。
【００８９】
以上説明したように、燃料ガスを水素側電極２２００に分散させつつ導く構造であれば、種々の構成を採用することができる。分散板としては、多孔体やプレスメタルに限られず、燃料ガスを分配しつつ水素側電極２２００に導くように構成されていればよい。
【００９０】
Ｆ９．変形例９：
上述した実施例では、燃料ガス流路について、詳細な説明を省略したが、燃料ガスの流路の形態は種々の構成を採ることができる。
【００９１】
図１５は、いわゆる分岐流路タイプの燃料ガス流路を用いた構成例を示す模式図である。図示する燃料ガス流路は、上述した実施例のアノード側金属多孔体４５ａに代えて用いられる流路形成部材５０００に、櫛歯状に形成されている。具体的には、ガス流路は、燃料ガスを導入する主流路５０１０、この主流路から分岐し、主流路５０１０とは交差する方向に形成された複数本の副流路５０２０、この副流路から更に櫛歯状に分岐する櫛歯流路５０３０から形成されている。主流路５０１０および副流路５０２０は、先端の櫛歯流路５０３０と比べて流路断面積を十分に確保しているので、流路形成部材５０００の面内の圧力分布は、アノード側金属多孔体４５ａと同程度もしくはそれ以下となっている。
【００９２】
この流路形成部材５０００は、カーボンや金属などを用いて形成することができる。カーボンを用いる場合は、型を用いてカーボン粉を高温または低温で焼結することにより、図１５に示した流路を備えた流路形成部材５０００を得ることができる。金属を用いる場合には、金属プレートから溝を削り出すことにより、同様の流路を備えた流路形成部材５０００を形成しても良いし、あるいはプレス加工により、図示する流路を備えた流路形成部材５０００を得ても良い。なお、流路形成部材５０００は、単品として設ける必要はなく、他の部材、例えばセパレータと一体に形成することも可能である。
【００９３】
なお、この流路形成部材５０００は、アノード側金属多孔体４５ａに代えて用いてもよいが、アノード側金属多孔体４５ａおよびシート部材４４ごと代替してもよい。この場合には、櫛歯流路５０３０を十分に細い流路とし、副流路５０２０から、いわば毛細血管のように細かくかつ多数に分岐させておけばよい。また、図１５では、主流路５０１０を流路形成部材５０００の一縁部に沿って設けたが、流路形成部材５０００面内の燃料ガスの圧力差を小さくするために、主流路５０１０を複数の縁部に設けて、副流路５０２０の長さを短くしたり、あるいは主流路５０１０を流路形成部材の中心に設けて、副流路５０２０を主流路５０１０の左右に配置しても良い。同様に、櫛歯流路５０３０は、副流路５０２０の両側に設けても差し支えない。
【００９４】
次に、図１６に基づいて、サーペンタイン型の流路構成について説明する。図１６は、流路が葛籠折れの形状をとっているサーペンタイン型流路を備えた流路形成部材の構成例を模式的に示す模式図である。図１６（Ａ）は、燃料ガスの流路が単一のタイプの流路形成部材５１００を例示し、図１６（Ｂ）は、燃料ガス流路が複数本統合されたタイプの流路形成部材５２００を例示している。
【００９５】
図示するように、図１６（Ａ）に例示した流路形成部材５１００は、燃料ガスの流路を囲う外壁のうち対向する外壁５１１０，５１１５から、内側に向けて交互に延長された複数の流路壁５１２０を備える。流路壁５１２０で区切られた部分が連続する流路となっている。この一端に流入口５１５０が形成されており、燃料ガスはここから流路に供給される。この流路形成部材５１００は、図１５の流路形成部材５０００と同様、上述した実施例のアノード側金属多孔体４５ａに代えて用いられる。
【００９６】
図１６（Ｂ）は、このサーペンタイン型流路が、複数本の流路の束として構成された例を示している。この場合、外壁５２１０および５２１５から内側に向けて交互に延長された複数の流路壁５２２０の間に、外壁５２１０，５２１５とは連設されていない仕切壁５２３０，５２４０が設けられている。また、流路の入り口には、流入口５２５０が形成されている。流入口５２５０から流入した燃料ガスは、仕切壁５２３０，５２４０を備えた幅広のサーペンタイン型流路を流れて、流路形成部材５２００の面方向にくまなく行き渡る。この流路形成部材５２００は、図１６の流路形成部材５０００と同様、上述した実施例のアノード側金属多孔体４５ａに代えて用いられる。
【００９７】
図１６に示した流路形成部材５１００，５２００は、図１５に示した櫛歯型の流路を備えた流路形成部材５０００と同様に、カーボンや金属から形成される。その形成方法も同様である。これらの流路形成部材５１００，５２００は、単品として設ける必要はなく、他の部材、例えばセパレータと一体に形成することも可能である。
【００９８】
Ｆ１０．変形例１０，１１：
図１７及び図１８を用いて、上述した実施例の変形例１０及び変形例１１について説明する。図１７は、変形例１０についての燃料ガスの流れを説明する説明図である。図１８は、変形例１１についての燃料ガスの流れを説明する説明図である。まず、両変形例に共通する構成から説明する。これらの変形例１０，１１の燃料電池では、発電体は、フレーム７５５０と膜電極ガス拡散層接合体（ＭＥＧＡ）７５１０と多孔体７５４０を備える。フレーム７５５０の中央部には、ＭＥＧＡ７５１０を嵌め込むための開口部７５５５が設けられており、この開口部７５５５を覆うように、ＭＥＧＡ７５１０が配置される。多孔体７５４０はＭＥＧＡ７５１０の上に配置される。また、フレーム７５５０の外周部には、燃料ガスや空気、あるいは冷却水が通る貫通孔が複数設けられているのは、上述した実施例と同一である。
【００９９】
変形例１０と変形例１１とは、上記の全体構造はほぼ同一であり、燃料ガスが、図示しないアノード対向プレートを介して供給される点も同一である。変形例１０と変形例１１とでは、多孔体７５４０への燃料ガスの供給方向が異なっている。変形例１０では、多孔体７５４０に燃料を供給するための複数の燃料ガス供給口７４１７ａは、フレーム７５５０の開口部７５５５の外縁部のうち、一つの長辺近傍に一列に設けられ、もう一列の複数の燃料ガス供給口７４１７ｂは、対向するもう一つの長辺近傍に配置されている。他方、変形例１１では、図１８に示したように、複数の燃料ガス供給口７５１７ａ及び燃料ガス供給口７５１７ｂは、それぞれ、開口部７５５５の対向する２つの短辺に隣接して配置されている。
【０１００】
変形例１０では、燃料ガスは、燃料ガス供給口７４１７ａや燃料ガス供給口７４１７ｂを通り、多孔体７５４０の中で長辺端部側から中央方向、すなわち矢印７６００ａの方向（図１７において上から下へ）へ、あるいは矢印７６００ｂの方向（図１７において下から上へ）に供給される。このとき、燃料ガス供給口７４１７ａを通って多孔体７５４０に供給された燃料ガスと燃料ガス供給口７４１７ｂを通って多孔体７５４０に供給された燃料ガスは、モジュールの中央付近でぶつかり混合する。一方、変形例１１では、燃料ガスは、燃料ガス供給口７５１７ａや燃料ガス供給口７５１７ｂを通り、多孔体７５４０の中で短辺端部側から中央方向、すなわち矢印７７００ａの方向（図１８において左から右へ）及び矢印７７００ｂの方向（図１８において右から左へ）に流れる。変形例１１でも、燃料ガス供給口７５１７ａを通って多孔体７５４０に供給された燃料ガスと燃料ガス供給口７５１７ｂを通って多孔体７５４０に供給された燃料ガスは、モジュールの中央付近でぶつかり混合する。
【０１０１】
以上説明した変形例１０、１１によれば、燃料ガスは、多孔体７５４０に対して、対向する２つの辺の端部側に設けられた複数の燃料ガス供給口７４１７ａおよび燃料ガス供給口７４１７ｂ（あるいは燃料ガス供給口７５１７ａおよび燃料ガス供給口７５１７ｂ）から、対向する２方向に供給される。対向流として供給された燃料ガスは、多孔体７５４０の中央部でぶつかって互いに混合するので、窒素ガスなどの不純物が局在化しにくいという利点が得られる。したがって、燃料電池の発電効率を向上させることができる。もとより、対向する２辺から燃料ガスを供給することにより、多孔体７５４０内での燃料ガスの分布の偏りが抑制されるという利点も得られる。なお、変形例１０、１１ではガス流路として多孔体を用いているが、ガス流路は多孔体に限られず、種々の供給方式が利用可能である。
【０１０２】
Ｆ１１．変形例１２：
上記実施例の燃料電池において、カソード側の酸化剤ガス供給流路を、一層のカソード側金属多孔体１３０ｃによって形成しているが、酸化剤ガスの供給路の構成はこれに限られるものではない。例えば、酸化剤ガス供給流路を、セパレータに形成されたリブを用いて、ストレート型若しくはサーペンタイン型に形成してもよいし、複数のディンプルを用いて形成してもよい。このようにすれば、簡易な構成で酸化剤ガス供給流路を形成することができる。燃料電池全体の構成や使用条件などに合わせて適切な構成を採用すればよい。
【０１０３】
Ｆ１２．変形例１３：
つぎに、上記実施例の燃料電池の始動時制御について説明する。変形例１３の燃料電池では、始動時において、アノード側の燃料ガス流路に燃料ガスの供給が開始され、所定時間ＴＡ経過後、初めて負荷を接続し、燃料電池から電流を取り出している。このようにすれば、燃料電池の発電終了後にカソード側からアノード側にリーク（透過）し滞留しているリークガス（窒素ガスまたは不活性ガス）は、所定時間ＴＡの間に、燃料ガスの圧力で、カソード側に押し返され、リークガス滞留量が減少してから負荷が接続されることになる。したがって、アノードにおいて、燃料電池の始動時に燃料ガスが欠乏した状態で運転されるという事態の発生を抑制することができる。なお、この場合の「始動」とは、燃料電池に反応ガス（燃料ガスおよび酸化剤ガス）を供給すると共に、燃料電池に負荷を接続することをいう。燃料電池の停止時にリークガスがアノード側に滞留するのは、燃料ガスの供給が停止された結果、アノード側の燃料ガス圧力が低下するためである。特にアノードデッドエンドの構成を採用した場合、燃料ガスの供給によるリークガスの排出路への排出が期待できない。したがって、燃料ガスの供給を開始してから、負荷を接続するまでに十分な時間を確保することは有効である。
【０１０４】
なお、燃料電池の始動時において、燃料ガスの供給量および電気的な負荷を接続するまでの所定時間ＴＡのうち少なくとも一方を、燃料電池の運転開始時におけるリークガス滞留量に基づいて決定する構成とすることも可能である。このリークガス滞留量は、例えば、燃料電池において前回の起動終了時から今回の始動時までの燃料電池停止期間や燃料電池の温度から推定するようにしてもよい。燃料電池の温度は、例えば、燃料電池を冷却する冷媒の温度等に基づいて検出することができる。このようにすれば、燃料電池の始動時間の短縮化を実現しつつ、アノード側の燃料ガス流路におけるリークガス滞留量を減少させることができる。
【０１０５】
また、燃料電池の始動時に負荷を接続するタイミングを、アノード側の水素濃度や、不純物ガス濃度に基づいて決定しても良い。上記実施例の燃料電池において、水素濃度センサをアノード側の燃料ガス流路内の所定部位に取り付け、始動時において、アノード側の燃料ガス流路に燃料ガスの供給が開始された後、水素濃度センサから検出される水素濃度値を監視する。水素濃度値が、所定の閾値より高くなった場合に、電気的な負荷を接続するものとすれば、アノードにおいて、水素欠乏運転となることを抑制することができる。このほか、アノード側の圧力や温度から、電気的な負荷の接続のタイミングを求める構成なども可能である。
【図面の簡単な説明】
【０１０６】
【図１】本発明の燃料電池を備える第１実施例としての燃料電池システム１０００の概略構成を示す説明図である。
【図２】第１実施例の燃料電池１００の概略構成を示す説明図である。
【図３】第２実施例の燃料電池１００Ａの概略構成を示す説明図である。
【図４】第３実施例の燃料電池１００Ｂの概略構成を示す説明図である。
【図５】本発明の燃料電池を備える第４実施例としての燃料電池システム１０００Ｃの概略構成を示す説明図である。
【図６】第４実施例の燃料電池１００Ｃの概略構成を示す説明図である。
【図７】第５実施例の燃料電池１００Ｄの概略構成を示す説明図である。
【図８】第１変形例の構成を示す説明図である。
【図９】分散板２１００の機能を説明する説明図である。
【図１０】第２変形例の構成を示す説明図である。
【図１１】プレスメタルを用いて構成された分散板２１０２を示す説明図である。
【図１２】図１１におけるＣ−Ｃ断面を示す模式図である。
【図１３】分散板２０１４ｈｍの内部に流路を形成した構成例を示す説明図である。
【図１４】パイプを使用して分散板２０１４ｈｐを形成した例を示す説明図である。
【図１５】分岐流路タイプの燃料ガス流路を用いた構成例を示す模式図である。
【図１６】流路が葛籠折れの形状をとっているサーペンタイン型流路を備えた流路形成部材の構成例を模式的に示す模式図である。
【図１７】変形例１０についての燃料ガスの流れを説明する説明図である。
【図１８】変形例１１についての燃料ガスの流れを説明する説明図である。
【図１９】燃料電池の構成例を示す説明図である。
【図２０】燃料電池の構成例を示す説明図である。
【符号の説明】
【０１０７】
１０００，１０００Ｃ...燃料電池システム
１００，１００Ａ，１００Ｂ，１００Ｃ，１００Ｄ...燃料電池
１０...膜電極接合体
２０，２２...水素供給配管
２４...レギュレータ
３０...空気供給配管
３２...エアコンプレッサ
３４...カソードオフガス排出配管
４０...制御ユニット
１１０...電解質膜
１１０ａ...アノード側触媒層
１１０ｃ...カソード側触媒層
１２０ａ...アノード側拡散層
１２０ｃ...カソード側拡散層
１２５...シート部材
１２５ｉ...水素供給口
１３０ａ，１３０Ｂａ，１３０Ｃａ，１３０Ｄａ...アノード側金属多孔体
１３２...整流板
１３２ａ，１３２ｂ...湾曲部
１３４...整流板
１３４ａ，１３４ｂ...湾曲部
１３０ｃ...カソード側金属多孔体
１４０ａ，１４０Ａａ，１４０Ｂａ，１４０Ｃａ，１４０Ｄａ...アノード側セパレータ
１４２Ａａｐ...燃料ガス流路
１４２，１４２Ｃ...バイパス流路
１４０Ａａｉ...水素供給口
１４０ｃ...カソード側セパレータ
１５０...エゼクタ
１５０ｉ...ガス導入口
１５０ｏ...流体排出口
１５０ｓ...流体吸引口
２０００...膜電極接合体
２０１４ｈｍ...分散板
２０１４ｈｐ...分散板
２１００，２１０１，２１０２...分散板
２１０２ｔ...突部
２１１０，２１１２...細孔
２１３０...パイプ
２１４０...フレーム
２１４１ｎ...細孔
２１４２ｎ...流路
２１４３ｎ...細孔
２２００...水素側電極
２２０１，２２０２，２２０３，２２０４...膜電極接合体
２３００...電解質膜
２４００...酸素側電極
５０００...流路形成部材
５０１０...主流路
５０２０...副流路
５０３０...櫛歯流路
５１００...流路形成部材
５１１０...外壁
５１２０...流路壁
５１５０...流入口
５２００...流路形成部材
５２１０...外壁
５２２０...流路壁
５２３０...仕切壁
５２５０...流入口
７４１７ａ，７４１７ｂ...燃料ガス供給口
７５１７ａ，７５１７ｂ...燃料ガス供給口
７５４０...多孔体
７５５０...フレーム
７５５５...開口部
【図１】
2009026520.tif 000003
【図２】
2009026520.tif 000004
【図３】
2009026520.tif 000005
【図４】
2009026520.tif 000006
【図５】
2009026520.tif 000007
【図６】
2009026520.tif 000008
【図７】
2009026520.tif 000009
【図８】
2009026520.tif 000010
【図９】
2009026520.tif 000011
【図１０】
2009026520.tif 000012
【図１１】
2009026520.tif 000013
【図１２】
2009026520.tif 000014
【図１３】
2009026520.tif 000015
【図１４】
2009026520.tif 000016
【図１５】
2009026520.tif 000017
【図１６】
2009026520.tif 000018
【図１７】
2009026520.tif 000019
【図１８】
2009026520.tif 000020
【図１９】
2009026520.tif 000021
【図２０】
2009026520.tif 000022